(57)【要約】【課題】太陽電池パネルの発電効率を損なうことなく、簡単な施工方法により支持構造体に太陽電池パネルをより確実に固定することである。【解決手段】取り付け器具１４は、野地板１０１と、該野地板に固定された複数の平板状の瓦であるスレート瓦１０２とを備える屋根１００に太陽電池パネル１０を固定する器具である。取り付け器具１４は、隣り合う各太陽電池パネル１０ａ，１０ｂを受光面１１ａ，１１ｂ側から押えるパネル押え部材３０と、該押え部材が取り付けられると共に、野地板１０１に固定される固定部材２０と、を備える。固定部材２０は、各パネルのうち棟側に位置する第１パネル１０ａを載置する載置面２２ｆと、載置面２２ｆよりも下方に位置し、軒側に位置する第２パネル１０ｂを載置する載置面２３ｆとを有し、第１パネル１０ａ及び第２パネル１０ｂ同士を重ねることなく上下方向に段差を設けて該各パネルを支持する。【選択図】図４
2014240568.tif 000002
【特許請求の範囲】
【請求項１】
野地板と、該野地板に固定された複数の平板状の瓦とを備える屋根に太陽電池パネルを固定する取り付け器具であって、
隣り合う前記各太陽電池パネルをパネル受光面側から押えるパネル押え部材と、
前記パネル押え部材が取り付けられると共に、前記野地板に固定される固定部材と、
を備え、
前記固定部材は、隣り合う前記各太陽電池パネルのうち棟側に位置する第１パネルを載置する第１載置面と、前記第１載置面よりも下方に位置し、軒側に位置する第２パネルを載置する第２載置面とを有し、前記第１パネル及び前記第２パネル同士を重ねることなく上下方向に段差を設けて該各パネルを支持する、太陽電池パネルの取り付け器具。
【請求項２】
請求項１に記載の取り付け器具において、
前記第１載置面及び前記第２載置面は、互いに略平行である太陽電池パネルの取り付け器具。
【請求項３】
請求項１又は２に記載の取り付け器具において、
前記固定部材は、前記瓦を前記野地板に固定する結合部材が挿入される貫通孔が形成された引っ掛け部を有し、
前記引っ掛け部は、前記瓦の端部に引っ掛けられて、前記結合部材により該瓦と共に前記野地板に固定される太陽電池パネルの取り付け器具。
【請求項４】
請求項１〜３のいずれか１項に記載の取り付け器具において、
前記固定部材に接続され、隣接配置される前記各瓦の間に挟まれて前記野地板に固定される浮き上がり防止部材をさらに備える太陽電池パネルの取り付け器具。
【請求項５】
請求項１〜４のいずれか１項に記載の取り付け器具において、
前記パネル押え部材は、前記上下方向及び前記パネル受光面に沿った横方向に対して傾いた斜面を含む斜面部と、前記第１パネルの前記パネル受光面の端部を覆う第１鍔部と、前記第２パネルの前記パネル受光面の端部を覆う第２鍔部と、を有する太陽電池パネルの取り付け器具。
【請求項６】
請求項５に記載の取り付け器具において、
前記パネル押え部材は、前記第１鍔部から上方に突出した雪止め部を有する太陽電池パネルの取り付け器具。
【請求項７】
請求項１〜６のいずれか１項に記載の取り付け器具と、
前記取り付け器具を用いて前記屋根に固定された太陽電池パネルと、
を備える太陽電池装置。
【発明の詳細な説明】
【技術分野】
【０００１】
本発明は、太陽電池パネルの取り付け器具及び太陽電池装置に関する。
【背景技術】
【０００２】
太陽電池パネルの取り付け器具として、締結要素が挿入される孔が形成された板状の固定部を備え、固定部の一部又は全部が屋根部材同士の重なり部分に挟まれて設けられる器具が提案されている（特許文献１参照）。なお、特許文献１には、太陽電池パネルがＡ領域とＢ領域とに分断され、Ｂ領域は棟側の太陽電池パネルに覆われて陰になる部分であると記載されている。
【先行技術文献】
【特許文献】
【０００３】
【特許文献１】特開２０１１−１６３０５８号公報
【発明の概要】
【発明が解決しようとする課題】
【０００４】
特許文献１に開示された取り付け器具を用いて太陽電池パネルを屋根に敷設した場合、上記のように、隣り合う太陽電池パネル同士が重なって配置されるため、パネルの単位面積当たりの発電量が低下するという問題がある。また、取り付け器具には、簡単な施工方法により屋根に太陽電池パネルをより確実に固定できることが求められている。
【課題を解決するための手段】
【０００５】
本発明に係る太陽電池パネルの取り付け器具は、野地板と、該野地板に固定された複数のスレート瓦とを備える屋根に太陽電池パネルを固定する取り付け器具であって、隣り合う各太陽電池パネルをパネル受光面側から押えるパネル押え部材と、パネル押え部材が取り付けられると共に、野地板に固定される固定部材と、を備え、固定部材は、隣り合う各太陽電池パネルのうち棟側に位置する第１パネルを載置する第１載置面と、第１載置面よりも下方に位置し、軒側に位置する第２パネルを載置する第２載置面とを有し、第１パネル及び第２パネル同士を重ねることなく上下方向に段差を設けて該各パネルを支持する。
【発明の効果】
【０００６】
本発明に係る太陽電池パネルの取り付け器具によれば、太陽電池パネルの発電効率を損なうことなく、簡単な施工方法により屋根に太陽電池パネルをより確実に固定することができる。
【図面の簡単な説明】
【０００７】
【図１】本発明の第１実施形態である取り付け器具を用いて太陽電池パネルを屋根に取り付けた状態（太陽電池装置）を示す図である。
【図２】図１において、太陽電池パネルを取り外した状態を示す図である。
【図３】図１のＡＡ線断面の一部を示す図である。
【図４】図３のＢ部拡大図である。
【図５】本発明の第２実施形態である取り付け器具を用いて太陽電池パネルを屋根に取り付けた状態（太陽電池装置）を示す図である。
【図６】図５のＣＣ線断面の一部を示す図である。
【図７】図６の要部拡大図である。
【図８】本発明の第２実施形態である取り付け器具を構成する固定部材の平面図である。
【図９】図８のＤＤ線断面図である。
【図１０】本発明の第２実施形態である取り付け器具を構成する連結部材の平面図である。
【図１１】本発明の第２実施形態である取り付け器具を構成する連結部材の正面図である。
【図１２】本発明の第２実施形態である取り付け器具を構成する連結部材の左側面図である。
【発明を実施するための形態】
【０００８】
以下、図面を参照しながら、本発明に係る実施形態について詳細に説明する。
実施形態において参照する図面は、模式的に記載されたものであり、図面に描画された構成要素の寸法比率などは、現物と異なる場合がある。具体的な寸法比率等は、以下の説明を参酌して判断されるべきである。
【０００９】
本明細書において、「略＊＊」とは、「略同一」を例に挙げて説明すると、全く同一はもとより、実質的に同一と認められるものを含む意図である。また、説明の便宜上、方向を示す用語を使用するが、当該方向は特に断らない限り、取り付け器具により太陽電池パネルが屋根に固定された状態における方向を意味する。以下、太陽電池パネルの受光面に垂直な方向を「上下方向（パネル受光面側が上、パネル裏面側が下）」とし、受光面に沿った方向を「横方向」とする。
【００１０】
＜第１実施形態＞
図１〜図４を参照しながら、第１実施形態である取り付け器具１４について詳説する。
図１は、屋根１００に取り付けられた太陽電池装置、即ち取り付け器具１４を用いて太陽電池パネル１０を屋根１００に取り付けた状態を示す。図２は、太陽電池パネル１０を取り外した状態を示す。各図の矢印は、野地板１０１の傾斜方向を示している（矢印先端側が軒）。
【００１１】
図１，２に示すように、屋根１００に取り付けられた太陽電池装置は、複数の太陽電池パネル１０と、取り付け器具１４とで構成される。屋根１００は、野地板１０１（図３参照）と、該野地板に結合部材である施工ビス１０３を用いて固定された複数のスレート瓦１０２とを備える。複数のスレート瓦１０２は、平面視において略矩形形状を有する薄板であって、その短手方向が野地板１０１の傾斜する棟軒方向に沿うように設けられている。ここで、「平面視における形状」とは、スレート瓦１０２の表面に対し垂直方向から見た際の平面形状を意味する。なお、取り付け器具１４により太陽電池パネル１０が固定される屋根材は、スレート瓦１０２に限定されない。取り付け器具１４が適用可能な屋根材としては、例えばアスファルトシングル、粘土瓦、プレスセメント瓦等の平板状の瓦が挙げられる。
【００１２】
スレート瓦１０２は、隣接する各瓦の一部が互いに重なるようにして野地板１０１上の略全域に設けられている。具体的には、軒側のスレート瓦１０２の短手方向長さの半分強〜７割程度を覆うように棟側のスレート瓦１０２が配置され、一部では３枚のスレート瓦１０２が重なる。なお、隣接するスレート瓦１０２同士は、棟軒方向に直交する方向に対して瓦の長手方向長さの略半分だけずらして配置される。即ち、棟軒方向に沿って１枚目と３枚目のスレート瓦１０２同士が、棟軒方向に並んで配置される。
【００１３】
スレート瓦１０２には、例えば短手方向中央近傍に４つのビス孔１０４が一列に並んで形成されている。ビス孔１０４は、施工ビス１０３が挿通可能な貫通孔である。本実施形態では、長手方向中央の２個のビス孔１０４の間隔が他の孔同士の間隔よりも広く設定されている。詳しくは後述するように、取り付け器具１４の固定部材２０は、施工ビス１０３を利用して野地板１０１に固定される。
【００１４】
太陽電池パネル１０は、複数の太陽電池素子がガラス板等の保護部材で挟持されたパネルであって、取り付け器具１４を用いてスレート瓦１０２上に設置される。本実施形態では、所謂フレームレスパネルを例示しているが、第２実施形態のようにフレーム８０が設置された形態であってもよい。太陽電池パネル１０は、例えば平面視において略矩形形状（受光面１１に対し垂直方向から見た際の平面形状）を有する。
【００１５】
太陽電池パネル１０は、スレート瓦１０２と同様に、その短手方向が棟軒方向に沿うように取り付けられることが好適である。各太陽電池パネル１０は、隣り合うパネル間で長辺同士、短辺同士がそれぞれ互いに略平行となるように配置される。太陽電池パネル１０の寸法は、例えば長手方向長さがスレート瓦１０２の長手方向長さの１．５倍〜２倍程度、同様に短手方向長さがスレート瓦１０２の短手方向長さの１倍〜４倍程度である。
【００１６】
取り付け器具１４は、隣り合う太陽電池パネル１０同士を重ねることなく上下方向に段差を設けて固定する（図３等参照）。また、取り付け器具１４は、各太陽電池パネル１０の受光面１１を互いに略平行な状態として屋根１００に固定することが好適である。ここで、「受光面１１」とは、太陽電池パネル１０の外部から太陽光（５０％超過〜１００％）が主に入射する面を意味する。なお、「裏面１２」とは、受光面１１と反対側の面、即ち屋根１００と対向する面を意味する。本実施形態では、太陽光の略１００％が受光面１１から入射する。
【００１７】
取り付け器具１４は、野地板１０１に固定される固定部材２０と、隣り合う各太陽電池パネル１０を受光面１１側から押えるパネル押え部材３０とを備える。パネル押え部材３０は、固定部材２０に締結されている。固定部材２０及びパネル押え部３０は、平面視において略矩形形状（後述の載置面２２ｆ，２３ｆに対し垂直方向から見た際の平面形状）を有し、その長手方向が太陽電池パネル１０の長手方向に沿うように配置される。
【００１８】
なお、取り付け器具１４は、２枚の太陽電池パネル１０の境界位置以外に設けることもできる。例えば、太陽電池パネル１０群の端部に取り付け器具１４を設けて、当該器具に図示しない化粧カバーを取り付けてもよい。
【００１９】
取り付け器具１４は、固定部材２０に接続され、隣接配置される各スレート瓦１０２の間に挟まれて野地板１０１に固定される浮き上がり防止部材４０を備えることが好適である。浮き上がり防止部材４０は、各固定部材２０から棟側に向かって延びており、その棟側端部が野地板１０１に固定されている。
【００２０】
本実施形態では、１枚の太陽電池パネル１０が４つの取り付け器具１４を用いて屋根１００に固定される。隣り合う太陽電池パネル１０が存在する場合、例えば、２つの取り付け器具１４が隣の太陽電池パネル１０と共有される。各取り付け器具１４は、太陽電池パネル１０の長手方向両端からやや中央側に寄った位置にそれぞれ取り付けられ、太陽電池パネル１０の短手方向に並んで取り付けられている。
【００２１】
以下、図３，４を参照して、取り付け器具１４の構成をさらに詳説する。
図３は、図１のＡＡ線断面の一部を示す図、図４は、図３のＢ部拡大図である。
【００２２】
図３，４に示すように、取り付け器具１４は、隣り合う各太陽電池パネル１０の境界位置に設けられる。以下、隣り合う各太陽電池パネル１０のうち棟側に位置するパネルを「第１パネル１０ａ」、軒側に位置するパネルを「第２パネル１０ｂ」とする。後述するように、固定部材２０は、ステップ状の構造を有することから、当該境界位置には各パネル間に段差が形成される。第１パネル１０ａ及び第２パネル１０ｂは、上下方向だけでなく横方向に対しても、互いに隙間をあけて配置されることが好適である。即ち、隣り合う各パネルは、受光面１１ａ，１１ｂ側から平面視したときに互いに重なり合わないことが好適である。
【００２３】
取り付け器具１４は、野地板１０１に固定された固定部材２０に、パネル押え部材３０が締結され、さらに浮き上がり防止部材４０が接続された構造を有する。固定部材２０は、施工ビス１０３によりスレート瓦１０２ｂと共に野地板１０１に固定されている。固定部材２０は、複数の部材を溶接等により結合して構成されてもよいが、本実施形態では、１枚の金属板を曲げ加工等して構成されている。
【００２４】
固定部材２０の基部２１には、第１パネル１０ａを載置する第１の載置面２２ｆを含む載置面部２２と、載置面２２ｆよりも下方に位置し、第２パネル１０ｂを載置する第２の載置面２３ｆを含む載置面部２３とが設けられる。即ち、固定部材２０は、上下方向に対して段差のあるステップ状の構造を有する。載置面２２ｆ，２３ｆは、いずれも略平坦であり、互いに略平行であることが好ましく、また固定部材２０が載るスレート瓦１０２ｃに対しても略平行であることが好ましい。これにより、固定部材２０は、第１パネル１０ａ及び第２パネル１０ｂ同士が上下方向に重なることなく上下方向に段差を設けて、且つ受光面１１ａ，１１ｂを互いに略平行として各パネルを安定に支持することができる。なお、基部２１とは、後述する引っ掛け部２５、係合部２７以外の部分である。
【００２５】
基部２１には、載置面部２２，２３の間にネジ孔２４が形成されている。ネジ孔２４には、パネル押え部材３０を締結するためのネジ３６が挿入される。本実施形態では、載置面部２２，２３をつなぐ部分に、上下方向及び横方向に対して傾いた斜面が形成されている。当該斜面の傾斜角度は、例えば横方向対して、即ち受光面１１ａ，１１ｂに対して１０°〜８０°程度（棟側に対する角度）であることが好ましい。なお、ネジ孔２４は、ネジ３６の軸方向が当該斜面に対して略垂直となるように形成されることが好適である。これにより、ネジ３６の締結が容易になり、良好な施工性が得られる。
【００２６】
固定部材２０は、スレート瓦１０２ｂの端部に引っ掛けられる引っ掛け部２５を有する。引っ掛け部２５は、載置面部２３の下方に形成された略Ｌ字形状を有する部分である。なお、略Ｌ字形状とは、固定部材２０を棟軒方向に直交する方向から断面視又は側面視したときの形状である。本実施形態では、固定部材２０を構成する金属板を載置面部２３の軒側端部から下方に折り曲げることで引っ掛け部２５が形成されている。
【００２７】
引っ掛け部２５は、その先端が載置面部２２よりも棟側に延びている。そして、載置面部２２よりも棟側に延びた部分にビス孔２６が形成されている。ビス孔２６は、スレート瓦１０２ｂを野地板１０１に固定するための結合部材である施工ビス１０３を挿通可能な貫通孔である。引っ掛け部２５は、スレート瓦１０２ｂの端部に引っ掛けられ、換言するとスレート瓦１０２ｂ，１０２ｃの間に挿入されて、上記のように、施工ビス１０３によりスレート瓦１０２ｂと共に野地板１０１に固定されている。
【００２８】
固定部材２０は、浮き上がり防止部材４０が接続される係合部２７を有する。本実施形態では、固定部材２０を構成する金属板を載置面部２２の棟側端部から下方に折り曲げることで係合部２７が形成されている。浮き上がり防止部材４０は、その軒側端部が略Ｌ字状に曲げ加工されて形成された係合部４１を有し、係合部２７は、係合部４１を引っ掛け可能な形状に形成されている。
【００２９】
パネル押え部材３０は、第１パネル１０ａ及び第２パネル１０ｂを受光面１１ａ，１１ｂ側から押える金具である。パネル押え部材３０は、太陽電池パネル１０ａ，１０ｂの配列方向に傾いた斜面を含む斜面部３１と、第１パネル１０ａの受光面１１ａの端部を覆う第１の鍔部３２と、第２パネル１０ｂの受光面１１ｂの端部を覆う第２の鍔部３３とを有することが好適である。
【００３０】
斜面部３１は、固定部材２０の上記斜面に沿った形状を有する。即ち、両者の傾斜角度は互いに略同等である。斜面部３１には、ネジ孔２４と重なる位置にネジ孔３４が形成されている。パネル押え部材３０は、ネジ孔２４，３４に挿入されるネジ３６によって固定部材２０の基部２１に締結される。
【００３１】
鍔部３２は、固定部材２０の載置面２２ｆと略平行に第１パネル１０ａの軒側端部から棟側に延びている。鍔部３２は、ネジ３６が基部２１に締結されることで受光面１１ａに押し付けられ、載置面２２ｆと共に第１パネル１０ａを挟持する。なお、鍔部３２及び載置面２２ｆにおいて第１パネル１０ａと接触する部分には、パネルの損傷を防止するために緩衝材３７ａを設けることが好適である。
【００３２】
鍔部３３は、固定部材２０の載置面２３ｆと略平行に第２パネル１０ｂの棟側端部から軒側に延びている。鍔部３３は、鍔部３２と同様に、ネジ３６が基部２１に締結されることで受光面１１ｂに押し付けられ、載置面２３ｆと共に第１パネル１０ｂを挟持する。なお、鍔部３３及び載置面２３ｆにおいて第１パネル１０ｂと接触する部分には、緩衝材３７ｂを設けることが好適である。
【００３３】
本実施形態では、鍔部３２から上方に突出した雪止め部３５が設けられている。即ち、雪止め部３５は、パネル押え部材３０の鍔部３２と一体化されている。雪止め部３５は、例えば太陽電池パネル１０上に積もった雪が一気に流れ落ちることを抑制する。雪止め部３５は、鍔部３２の軒側端部から上下方向に沿って突出している。雪止め部３５の突出長さは、例えば２ｃｍ〜５ｃｍ程度である。
【００３４】
浮き上がり防止部材４０は、固定部材２０の浮き上がりを抑制して、太陽電池パネル１０を安定に固定するための金具である。浮き上がり防止部材４０は、上記のように、軒側端部に形成された係合部４１が固定部材２０の係合部２７に引っ掛けられる。浮き上がり防止部材４０は、棟軒方向に沿って延び、スレート瓦１０２ａ，１０２ｂの間に挟まれて、棟側端部に形成された固定部４２がビス４４により野地板１０１に固定される。浮き上がり防止部材４０は、スレート瓦１０２ｂを超えて棟側に延び、スレート瓦１０２ｂの棟側端部から延出した部分に固定部４２が設けられている。固定部４２には、ビス４４を挿通可能なビス孔４３が形成されている。
【００３５】
上記構成を備える取り付け器具１４、及び第１パネル１０ａ、第２パネル１０ｂは、例えば、以下の手順で屋根１００に取り付けることができる。
【００３６】
まず初めに、固定部材２０の引っ掛け部２５をスレート瓦１０２ｃ用の施工ビス１０３を利用して野地板１０１に固定する。このとき、固定部材２０は、基部２１の載置面部２２が載置面部２３よりも棟側に位置するように固定される。次に、スレート瓦１０２ｂを引っ掛け部２５の上に敷設することで、引っ掛け部２５がスレート瓦１０２ｂ，１０２ｃの間に挟まれ、スレート瓦１０２ｂの端部に引っ掛かった状態となる。こうして、固定部材２０が野地板１０１に対して安定に固定される。
【００３７】
続いて、スレート瓦１０２ｂの上に浮き上がり防止部材４０を配置して、固定部４２を野地板１０１にビス４４で固定し、係合部４１を固定部材２０の係合部２７に引っ掛ける。次に、スレート瓦１０２ａを浮き上がり防止部材４０の上に敷設することで、浮き上がり防止部材４０がスレート瓦１０２ａ，１０２ｂの間に挟まれた状態となる。浮き上がり防止部材４０を取り付けることにより、固定部材２０の浮き上がりがさらに抑制され、太陽電池パネル１０をより安定に固定することが可能となる。
【００３８】
続いて、固定部材２０の載置面２２ｆ上に第１パネル１０ａを、載置面２３ｆ上に第２パネル１０ｂをそれぞれ載置する。このとき、第１パネル１０ａと第２パネル１０ｂの間には、載置面２２ｆ，２３ｆの高さの差に起因する段差が形成される。最後に、第１パネル１０ａ及び第２パネル１０ｂの受光面１１ａ，１１ｂ上にパネル押え部材３０を配置し、ネジ３６を用いて固定部材２０に締結する。こうして、２枚の隣り合うパネルが固定部材２０とパネル押え部材３０とで挟持された取り付け構造が形成される。
【００３９】
以上のように、取り付け器具１４によれば、第１パネル１０ａ及び第２パネル１０ｂが互いに重なり合わないので、発電効率が損なわれることなく、簡単な施工方法により屋根１００に対して太陽電池パネル１０を安定に固定することができる。取り付け部材１４は、低床で意匠性に優れた取り付け構造を実現できる。
【００４０】
＜第２実施形態＞
図５〜図１２を参照しながら、第２実施形態である取り付け器具１５について詳説する。以下では、上記実施形態と重複する説明は省略し、主に相違点について詳説する。
図５は、屋根１００に取り付けられた太陽電池装置、即ち取り付け器具１５を用いて太陽電池パネル１０を屋根１００に取り付けた状態を示す。図６は、図５のＣＣ線断面図であり、図７は、図６の要部拡大図である。
【００４１】
図５，６に示すように、本実施形態では、太陽電池パネル１０の端縁にフレーム８０が設置されたフレーム付きパネル１０ｚを用いる。詳しくは後述するように、取り付け器具１５は、太陽電池パネル１０の端縁を保護する金属製の枠であるフレーム８０を利用して、フレーム付きパネル１０ｚを屋根１００に固定する。
【００４２】
図７に示すように、フレーム８０ａ（フレーム８０ｂについても同様）は、中空構造の本体部８１ａと、第１パネル１０ａの端縁が嵌め込まれる凹部８２ａとを有する。凹部８２ａは、本体部８１ａの上面と、本体部８１ａ上に設けられた略Ｌ字形状（フレーム８０ａを幅方向に切断した断面形状）の部材とにより形成されている。なお、本体部８１ａの下面には、切り欠き８３ａが形成されており、後述する連結部材７０の爪部７８が引っ掛けられる。
【００４３】
取り付け器具１５は、取り付け器具１４と同様に、野地板１０１に固定される固定部材５０と、第１パネル１０ａ及び第２パネル１０ｂを受光面１１ａ，１１ｂ側から押えるパネル押え部材６０とを備える。一方、取り付け器具１５は、パネル押え部６０が固定部材５０に直接取り付けられず、連結部材７０を介して取り付けられる。また、取り付け器具１５は、浮き上がり防止部材４０を有していない。
【００４４】
本実施形態においても、１枚の太陽電池パネル１０が４つの取り付け器具１５を用いて屋根１００に固定される。隣り合う太陽電池パネル１０が存在する場合、例えば、２つの取り付け器具１４が隣の太陽電池パネル１０と共有される。各取り付け器具１５は、太陽電池パネル１０の長手方向両端からやや中央側に寄った位置にそれぞれ取り付けられ、太陽電池パネル１０の短手方向に並んで取り付けられている。なお、太陽電池パネル１０群の端部に固定された取り付け器具１５には、化粧カバー１６が取り付けられている。
【００４５】
固定部材５０の基部５１には、第１パネル１０ａを載置する第１の載置面５２ｆを含む載置面部５２と、載置面５２ｆよりも下方に位置し、第２パネル１０ｂを載置する第２の載置面５３ｆを含む載置面部５３とが設けられる。載置面５２ｆ，５３ｆは、互いに略平行であることが好ましい。本実施形態では、各パネルが載置面５２ｆ，５３ｆに接触せず、フレーム８０ａ，８０ｂ等を介して載置面５２ｆ，５３ｆ上に配置されている。
【００４６】
固定部材５０は、スレート瓦１０２ａの端部に引っ掛けられる引っ掛け部５４を有する。引っ掛け部５４は、載置面部５２の棟側端部から棟側に向かって延びている。具体的には、棟方向且つ下方向に向かって斜めに延びる傾斜部５４ｘと、傾斜部５４ｘの棟側端部から載置面５２ｆと略平行に延びる平坦部５４ｙとにより引っ掛け部５４が形成されている。本実施形態では、固定部材２０を構成する金属板を載置面部５２の棟側端部から下方に折り曲げることで引っ掛け部５４が形成されている。
【００４７】
引っ掛け部５４の平坦部５４ｙには、ビス孔５５が形成されている。平坦部５４ｙは、スレート瓦１０２ａの端部に引っ掛けられ、スレート瓦１０２ａ，１０２ｂの間に挟まれて、施工ビス１０３によりスレート瓦１０２ｂと共に野地板１０１に固定されている。
【００４８】
固定部材５０の軒側端部には、載置面部５３の下方に延びる略Ｌ字形状の脚部５６が形成されている。本実施形態では、固定部材２０を構成する金属板を載置面部５３の軒側端部から下方に折り曲げることで脚部５６が形成されている。脚部５６は、スレート瓦１０２ｂに引っ掛けられず、該瓦上に配置されている。引っ掛け部５４及び脚部５６の高さ（上下方向長さ）は、太陽電池パネル１０がスレート瓦１０２に対して略平行となるように設定されることが好適である。
【００４９】
パネル押え部６０は、パネル押え部３０と同様に、太陽電池パネル１０ａ，１０ｂの配列方向に斜面を含む斜面部６１と、第１パネル１０ａの受光面１１ａの端部を覆う第１の鍔部６２と、第２パネル１０ｂの受光面１１ｂの端部を覆う第２の鍔部６３とを有する。斜面部６１にはネジ孔６４が形成されており、パネル押え部６０は、ネジ６５を用いて連結部材７０の締結部７３に締結される。なお、鍔部６２，６３は、ネジ６５が締結部７３に締結されることにより各パネルのフレーム８０ａ，８０ｂにそれぞれ押し付けられる点で、各パネルの受光面１１ａ，１１ｂに直接押し付けられる鍔部３２，３３と異なる。また、鍔部６３は、斜面部６１の軒側端部から鍔部６２と略平行に棟側に向かって延びている。
【００５０】
以下、図８〜図１２を参照しながら、取り付け器具１５の各構成要素、特に固定部材５０及び連結部材７０について、さらに詳説する。
図８，９は、固定部材５０を示す図であり、図１０〜図１２は、連結部材７０を示す図である。以下では、屋根１００に取り付けられた状態において、棟軒方向に沿う方向を「縦方向」、棟軒方向に直交する方向を「横方向」とする。
【００５１】
図８，９に示すように、固定部材５０は、縦方向に沿って引っ掛け部５４、載置面部５２、及び載置面部５３を順に有する。載置面部５２は、連結部材７０の第１接続部７１が取り付けられる部分であって、載置面５２ｆには、当該取り付けに使用される凸状部５７が形成されている。凸状部５７は、載置面５２ｆ上に形成された突起である。載置面５２ｆは、載置面５３ｆよりも大面積に形成されている。
【００５２】
載置面部５２は、載置面部５３及び引っ掛け部５４の傾斜部５４ｘよりも横方向に長く、この横方向に張り出した部分を利用して第１接続部７１が取り付けられる。引っ掛け部５４の平坦部５４ｙは、載置面部５２よりも横方向に張り出し、その上面は載置面５２ｆよりも大面積に形成されている。平坦部５４ｙを大きく形成することより、固定部材５０の安定性を高めることができる。
【００５３】
図１０〜図１２に示すように、連結部材７０は、固定部材５０に取り付けられる第１接続部７１と、パネル押え部６０が締結される第２接続部７２とを有する。第２接続部７２は、さらにフレーム８０ａにも引っ掛けられることが好適である（図６参照）。第２接続部７２は、横方向の長さが第１接続部７１よりも長く、第１接続部７１の横方向両側から張り出している。そして、連結部材７０は、全体として平面視略Ｔ字形状を有する。
【００５４】
第１接続部７１には、横方向両側に縦方向に沿って保持部７５が形成されている。保持部７５は、例えば第１接続部７１を構成する金属板の横方向両端を下方に折り曲げて形成される。第１接続部７１は、保持部７５により載置面部５２を横方向両側から抱え込む。即ち、載置面部５２の横方向に張り出した部分が保持部７５で挟まれるように、載置面部５２の棟側端部から第１接続部７１をスライドさせることにより、載置面部５２に第１接続部７１が取り付けられる。
【００５５】
第１接続部７１には、凹状部７６が形成されており、載置面５２ｆ上に形成された凸状部５７と係合する。凹状部７６は、載置面５２ｆに対向する下面側が凹んだ形状を有する。さらに、第１接続部７１には、下面側に突出した爪部７７が形成されている。爪部７７は、上方に向かって弾性変形可能に形成されており、載置面５２ｆ上に押し付けられて摩擦力を発生させる。これにより、連結部材７０は、固定部材５０に対して締結部材等を用いることなく、簡単に取り付けることができる。
【００５６】
第２接続部７２には、パネル押え部６０が締結される部分である締結部７３が設けられている。本実施形態では、第２接続部７２の横方向に並んで複数（３つ）の締結部７３が設けられている。締結部７３は、第２接続部７２の軒側端部において上方に延び、上部がパネル押え部６０の斜面部６１の形状に合わせて曲げ加工されている。かかる上部にネジ６５が挿入されるネジ孔７４が形成されており、ネジ６５をネジ孔６４，７４に挿入してパネル押え部６０が締結部７３に締結される。
【００５７】
第２接続部７２には、フレーム８０ａの本体部８１ａに引っ掛けられる爪部７８が設けられている。本実施形態では、第２接続部７２の第１接続部７１側の端部であって横方向両端部の２箇所に上方に向かって突出した爪部７８が形成されている。爪部７８は、略Ｌ字形状を有し（図１２参照）、本体部８１ａの切り欠き８３ａから挿入されて本体部８１ａに引っ掛けられる（図７参照）。
【００５８】
上記構成を備える取り付け器具１５、及び第１パネル１０ａ、第２パネル１０ｂは、例えば、以下の手順で屋根１００に取り付けることができる。
【００５９】
まず初めに、固定部材５０の引っ掛け部５４をスレート瓦１０２ｂ用の施工ビス１０３を利用して野地板１０１に固定する。このとき、固定部材５０は、基部５１の載置面部５２が載置面部５３よりも棟側に位置するように固定される。次に、スレート瓦１０２ａを引っ掛け部５４の上に敷設することで、引っ掛け部５４がスレート瓦１０２ａ，１０２ｂの間に挟まれ、スレート瓦１０２ａの端部に引っ掛かった状態となる。こうして、固定部材５０が野地板１０１に対して安定に固定される。
【００６０】
続いて、連結部材７０を載置面部５２に取り付ける。具体的には、第１接続部７１の保持部７５が載置面部５２の下面側に回り込むように、載置面部５２の棟側端部から第１接続部７１をスライドさせて載置面部５２に第１接続部７１を嵌め込む。こうして、保持部７５が載置面部５２の横方向に張り出した部分を抱え込み、載置面５２ｆ上の凸状部５７が第１接続部７１の凹状部７６に係合し、且つ爪部７７が載置面５２ｆ上に押し付けられて、第１接続部７１が締結部材等を使用することなく安定に取り付けられる。
【００６１】
続いて、連結部材７０が取り付けられた載置面５２ｆ上に第１パネル１０ａを、載置面５３ｆ上に第２パネル１０ｂをそれぞれ載置する。このとき、第１パネル１０ａと第２パネル１０ｂの間には、載置面５２ｆ，５３ｆの高さの差に起因する段差が形成される。なお、第２接続部７２の爪部７８は、フレーム８０ｂの本体部８１ｂに形成された切り欠き８３ａから本体部８１ｂに差し込まれて引っ掛けられる。最後に、第１パネル１０ａ及び第２パネル１０ｂの受光面１１ａ，１１ｂ上にパネル押え部６０を配置し、ネジ６５を用いて第２接続部７２の締結部７３に締結する。
【００６２】
以上のように、取り付け器具１５によれば、隣り合う第１パネル１０ａ及び第２パネル１０ｂが互いに重なり合うことなく、簡単な施工方法により屋根１００に太陽電池パネル１０をより確実に固定することができる。
【符号の説明】
【００６３】
＜第１実施形態＞
１０，１０ａ，１０ｂ  太陽電池パネル、１０ａ  第１パネル、１０ｂ  第２パネル、１１，１１ａ，１１ｂ  受光面、１２，１２ａ，１２ｂ  裏面、１４  取り付け器具、２０  固定部材、２１  基部、２２，２３  載置面部、２２ｆ，２３ｆ  載置面、２４，３４  ネジ孔、２５  引っ掛け部、２６，４３，１０４  ビス孔、２７，４１  係合部、３０  パネル押え部材、３１  斜面部、３２，３３  鍔部、３５  雪止め部、３６  ネジ、３７ａ，３７ｂ  緩衝材、４０  浮き上がり防止部材、４２  固定部、４４  ビス、１００  屋根、１０１  野地板、１０２，１０２ａ，１０２ｂ，１０２ｃ  スレート瓦、１０３  施工ビス
【００６４】
＜第２実施形態＞
１０ｚ  フレーム付きパネル、１５  取り付け器具、１６  化粧カバー、５０  固定部材、５１  基部、５２，５３  載置面部、５２ｆ，５３ｆ  載置面、５４  引っ掛け部、５４ｘ  傾斜部、５４ｙ  平坦部、５５  ビス孔、５６  脚部、５７  凸状部、６０  パネル押え部材、６１  斜面部、６２，６３  鍔部、６４，７４  ネジ孔、６５  ネジ、７０  連結部材、７１  第１接続部、７２  第２接続部、７３  締結部、７５  保持部、７６  凹状部、７７，７８  爪部、８０，８０ａ，８０ｂ  フレーム、８１ａ，８１ｂ  本体部、８２ａ，８２ｂ  凹部、８３ａ，８３ｂ  切り欠き
【図１】
2014240568.tif 000003
【図２】
2014240568.tif 000004
【図３】
2014240568.tif 000005
【図４】
2014240568.tif 000006
【図５】
2014240568.tif 000007
【図６】
2014240568.tif 000008
【図７】
2014240568.tif 000009
【図８】
2014240568.tif 000010
【図９】
2014240568.tif 000011
【図１０】
2014240568.tif 000012
【図１１】
2014240568.tif 000013
【図１２】
2014240568.tif 000014